(57)【要約】【課題】  ３ＤＣＡＤデータベースの位置検索結果を元にした位置情報伝達表示を円滑に行える設備位置提示システムを提供することである。【解決手段】  設備検索手段５は外部からの設備属性３を元に３ＤＣＡＤデータベース４から検索設備の形状を検索し、周囲設備検索手段１２は３ＤＣＡＤデータベース４から検索設備の周囲設備の形状を検索する。設備確認区画視点検索手段８は検索設備が存在する位置情報を元に設備確認視点情報データベース９を検索して設備確認区画視点情報を得る。画像生成手段１６は設備検索手段５により得られた検索設備の形状と周囲設備の形状とを用いて設備確認区画視点検索手段８で得られた設備確認区画視点からの設備画像を生成する。【選択図】  図１
2006244335.tif 000002
【特許請求の範囲】
【請求項１】
３ＤＣＡＤデータベースを検索して設備位置を提示する設備位置提示システムにおいて、少なくとも設備形状と設備属性とを組合せて格納する３ＤＣＡＤデータベースと、３ＤＣＡＤ空間を指示する区画情報とこの区画内で設備を確認するための視点情報とを組合せて保持する設備確認視点情報データベースと、外部から与えられる設備属性を元に前記３ＤＣＡＤデータベースから検索設備の形状を検索する設備検索手段と、前記３ＤＣＡＤデータベースから検索設備の周囲設備の形状を検索する周囲設備検索手段と、前記周囲設備検索手段で検索された検索設備が存在する位置情報を元に前記設備確認視点情報データベースを検索して設備確認区画視点情報を得る設備確認区画視点検索手段と、前記設備検索手段により得られた検索設備の形状と周囲設備の形状とを用いて前記設備確認区画視点検索手段で得られた設備確認区画視点からの設備画像を生成する画像生成手段とを備えたことを特徴とする設備位置提示システム。
【請求項２】
前記周囲設備検索手段は前記設備確認区画視点検索手段で得られた設備確認区画視点における空間指示区画情報を用いて周辺設備形状を前記３ＤＣＡＤデータベースから検索して取得し、前記設備検索手段は前記周囲設備検索手段により取得された周囲設備形状を用いて設備画像の生成を行うことを特徴とする請求項１記載の設備位置提示システム。
【請求項３】
前記設備確認視点情報データベースは、一つまたはそれ以上の区画区分を保持し、前記設備確認区画視点検索手段は指定された区画区分によりその区画区分に対する設備確認区画視点情報を得ることを特徴とする請求項１または２記載の設備位置提示システム。
【請求項４】
前記設備確認視点情報データベースは３ＤＣＡＤ空間を指示する区画情報とこの区画内で設備を確認するためのアクセスルート情報とを組合せて保持し、前記設備確認区画視点検索手段はアクセスルート上で検索設備が周囲設備に遮られずに確認できる部分を計算処理し、前記画像生成手段は前記設備確認区画視点検索手段の計算処理結果に基づき周囲設備に遮られずに確認できる部分からの設備画像の生成を行うことを特徴とする請求項３記載の設備位置提示システム。
【請求項５】
前記画像生成手段は、検索設備を色もしくは表面パターン表示により強調表示することを特徴とする請求項１ないし４のいずれか一記載の設備位置提示システム。
【請求項６】
前記画像生成手段は、検索設備が周囲設備に遮られている場合には、検索設備の輪郭線並びに半透明の重ね合わせを周囲設備の画像の全面に表示することを特徴とする請求項１ないし５のいずれか一記載の設備位置提示システム。
【請求項７】
前記画像生成手段は、前記設備確認区画視点検索手段の計算処理結果に基づき検索設備の設備画像を生成する際に各区画全体を俯瞰した画像も生成し、その画像内に設備区画視点位置及びアクセスルートの場所及び検索設備を識別する情報を合せて表示することを特徴とする請求項４記載の設備位置提示システム。
【発明の詳細な説明】
【技術分野】
【０００１】
本発明は、３ＤＣＡＤデータベースに収録されている設備形状情報を外部から与えられる属性情報を元に検索し、設備画像を生成して提示する設備位置提示システムに関する。
【背景技術】
【０００２】
一般に、設備や建物の設計において作られる３ＤＣＡＤデータベースは、実設備を模擬した形状情報と設計属性とが共に格納され、実物と同程度に精密かつ設計属性を同時に参照可能な電子モデルとして取扱われている。そのため、実設計での活用現場においても、設計の最終成果の集大成として実物と同じように扱われることが多い。また、計算機を使うことにより、３ＤＣＡＤ情報を用いて事務所内の机上で詳細な確認が可能であるため、大規模かつ複雑な設備や建築においては、実物よりも効率的に取扱い可能である。
【０００３】
このように、全設備形状とその属性情報とが入力されている３ＤＣＡＤデータベースを活用する事例の一つに設備の位置を検索し、他者にその所在の伝達する応用システムが考えられており、このような設備検索システムの代表例としては、他の設計支援システムと連携させ、位置情報伝達に使うものある（例えば、非特許文献１参照）。
【０００４】
この設備検索システムは、３ＤＣＡＤデータベースに格納されている設備情報を文字列情報を基本としたエンジニアリング情報を格納するデータベースの情報と同様に捉え、これらを連携させることで対象設備を抽出し、その画像の表示を可能にするものである。
【０００５】
３ＤＣＡＤデータベースは、設計の集大成として全ての設備形状を模擬した形状情報を収容している。一般に、これを位置情報伝達のために設備位置表示に使用する場合は、属性を元にデータベースを検索し、設備形状が特定されたら、検索条件に該当する設備の形状から幾何的な計算により算出される位置や空間情報を元に、当該設備が画面中心に拡大して表示されるように、視点位置や視野を自動計算して画像生成する。
【非特許文献１】財団法人石油産業活性化センター、「生産システム高度化技術の開発（Ｌ．１）プロジェクト」における「３Ｄ−ＣＡＤ活用による保全、改造工事、教育・訓練適用の研究開発」報告書（２００３）
【発明の開示】
【発明が解決しようとする課題】
【０００６】
ところが、原子力発電プラントのように建物内に設備を積層して多数収容している複雑な施設について、その情報を収容した３ＤＣＡＤデータベースを利用し位置情報伝達のために設備位置の表示に利用する場合には、周辺に配置されている設備との関連性提示による配置状況の伝達が重要となる場合が多い。このような場合、従来の設備検索システムで設備を単純に拡大表示しても、周辺設備の状況が分からず、配置状況を伝達しにくいという問題がある。また、多くの周囲設備が画面上に表示されるように拡大率を下げると、他の設備に遮られて当該設備が見えなくなるという問題が発生する。
【０００７】
すなわち、従来の設備検索システムでは、設備の配置や形状の情報のみを用いて視点位置や視野を自動計算して、設備の配置状況を他者に容易に伝達できるよう表示することには困難を伴う。そのため、暫定的な表示位置確定に従来の設備検索システムを使い、その後、視点位置や視野の微調整機能を駆使して位置情報伝達に利用可能な画像を生成する調整作業が必要であった。
【０００８】
本発明の目的は、３ＤＣＡＤデータベースの位置検索結果を元にした位置情報伝達表示を円滑に行える設備位置提示システムを提供することである。
【課題を解決するための手段】
【０００９】
本発明に係わる設備位置提示システムは、３ＤＣＡＤデータベースを検索して設備位置を提示する設備位置提示システムにおいて、少なくとも設備形状と設備属性とを組合せて格納する３ＤＣＡＤデータベースと、３ＤＣＡＤ空間を指示する区画情報とこの区画内で設備を確認するための視点情報とを組合せて保持する設備確認視点情報データベースと、外部から与えられる設備属性を元に前記３ＤＣＡＤデータベースから検索設備の形状を検索する設備検索手段と、前記３ＤＣＡＤデータベースから検索設備の周囲設備の形状を検索する周囲設備検索手段と、前記周囲設備検索手段で検索された検索設備が存在する位置情報を元に前記設備確認視点情報データベースを検索して設備確認区画視点情報を得る設備確認区画視点検索手段と、前記設備検索手段により得られた検索設備の形状と周囲設備の形状とを用いて前記設備確認区画視点検索手段で得られた設備確認区画視点からの設備画像を生成する画像生成手段とを備えたことを特徴とする。
【発明の効果】
【００１０】
本発明によれば、３ＤＣＡＤデータベースに格納されている設備形状情報を設備の属性を用いて検索し、該当する設備の配置状況を自動的に画面に表示するので、設備の所在と周辺の設備との関係を把握するための表示位置微調整作業を行うことなく、また、目的に合せて最適な視野からの画像を提示することが可能となる。
【発明を実施するための最良の形態】
【００１１】
以下、本発明の実施の形態を説明する。図１は本発明の実施の形態に係わる設備位置提示システムのブロック構成図である。設備位置提示システム１は、設備属性指定可能な機能を有する設備属性指定部２より、与えられる設備属性３を元に３ＤＣＡＤデータベース４を検索してその設備を確認できる設備画像１７を生成し、画像表示装置１８を用いてその画像を表示するものである。
【００１２】
３ＤＣＡＤデータベース４は、例えば、原子力発電プラントの設備の形状を属性と関連付けて格納しているデータベースであり、設備属性を元に内部の設備形状を検索し検索設備の形状情報を取得することや、設備形状より容易に得られる設備空間情報を元に近傍の設備を検索し、その形状を取得する機能を持つ。
【００１３】
また、設備確認視点情報データベース９は視点情報レコード１０を格納するデータベースである。視点情報レコード１０は、空間を指定する区画情報と、その空間にある設備を確認するための視点座標と、その視点座標位置に対する名称とから構成され、この視点情報レコード１０は設備確認視点情報データベース９から３ＤＣＡＤ空間条件により検索されレコード抽出される。
【００１４】
設備位置提示システム１の設備検索手段５は、設備属性指定部２から入力された設備属性３を元に３ＤＣＡＤデータベース４を検索し、属性が適合する検索設備形状６と、検索設備の配置空間情報である設備配置位置情報７とを得る。また、設備検索処理の結果として、これら検索設備形状６及び設備配置位置情報７を出力する。
【００１５】
設備確認区画視点検索手段８は、設備検索手段５の処理結果として得られた設備配置位置情報７を元に、設備確認視点情報データベース９内の視点情報レコード１０内で空間を指定する区画情報との照合による検索処理を行い、視点情報レコード１０が保持する視点座標と視点名称を設備確認区画視点１１として出力する。設備配置位置情報７と区画情報との照合には、幾何学的な計算による空間の位置含有判定と、配置位置情報との区画コードを利用した照合判定とが行われ、いずれかが合致する場合に照合したものと判定される。
【００１６】
周辺設備検索手段１２は、設備確認区画視点検索手段８により得られた設備確認区画視点情報１１が持つ区画情報を元に３ＤＣＡＤデータベース４を検索し、幾何学的な照合判定計算や区画コードを用いた照合判定を行う。これにより当該区画の空間に存在する設備形状を取得し周辺設備形状１３として出力する。
【００１７】
このようにして結果得られた検索設備形状６及び周辺設備形状１３は、形状合成手段１４により読み込まれ、設備属性２に該当する検索設備形状６と周辺設備形状１５とを合成した設備周辺形状１５として出力される。形状合成手段１４より出力される設備周辺形状１５には、設備属性３に該当する検索設備形状６とその設備の存在する区画内の設備形状である周辺設備形状１３とが含まれるが、後の処理において属性に該当した形状と周辺の形状であることが認識可能になるように合成の際にフラグ情報を付与する。
【００１８】
画像生成手段１６は、その処理の入力情報として形状合成手段１４が合成した設備属性３に該当する検索設備形状６が存在する空間の全設備形状情報である設備周辺形状１５、設備確認区画視点検索手段８より出力された設備確認区画視点１１及び設備検索手段５より出力される配置位置情報７を用いて設備画像１７を生成する。
【００１９】
すなわち、この画像生成手段１６では、設備周辺形状１５、設備確認区画視点１１及び配置位置情報７を元に、設備周辺形状１５に対し、設備配置位置情報７により示される設備の配置位置を設備確認区画視点情報１１に含まれる各視点座標から注視した画像を生成する処理を行い、設備画像１７を出力する。その画像生成の際、設備画像１７に設備確認区画視点情報１１に含まれる視点座標に対応した視点名称を組み合わせることにより、どこから見た画像なのか容易に認識できるようにする。また、画像生成手段１６は、画像生成の際に、検索設備形状６には周辺設備と判別できるように特別な着色処理を施したり、形状の位置を指し示す矢印を加えて強調する。画像生成手段１６で生成された設備画像１７は画像表示装置１８に表示出力される。
【００２０】
図２は、本発明の実施の形態に係わる設備位置提示システムを原子力発電プラントの設備検索に適用した場合のブロック構成図である。原子力発電プラントの設備検索に適用するにあたり、設備属性指定部２を設備属性指定システム２０とし、画像表示装置１８を画像処理システム２１としている。設備属性指定システム２０は、設備位置提示システム１に対し設備検索の元となる設備属性を与えるシステムである。また、画像処理システム２１は画像表示装置１８に加え、設備位置提示システム１からの設備画像１７をプリント出力するプリンタ２２及び設備位置提示システム１からの設備画像１７を蓄積する画像データベース２３を備えている。
【００２１】
設備属性指定システム２０は、利用者からの入力もしくは画面に表示されている要素より設備属性を取得し、設備位置提示システム１に対して、引渡し可能な形でそれを出力する要件を満たすシステムであり、図２では、配管計装線図表示システムＡ、部品リスト表示システムＢ、部品属性直接入力システムＣを示している。
【００２２】
配管計装線図表示システムＡは、配管計装線図が表現しようとする設備の図形要素に加え、設備属性を持つ配管計装線図情報を入力とし、画面上で設備要素を指定できる機能と、指定された要素に関する設備属性を設備位置提示システム１に引渡し可能な形で出力できるシステムである。また、部品リスト表示システムＢは、少なくとも部品名称もしくは部品番号と部品属性を持つ一つ以上の部品情報を入力とし、画面上で部品項目を指定できる機能と、指定された部品項目に関する部品属性を設備位置提示システム１に引渡し可能な形で出力できるシステムである。同様に、部品属性入力システムＣは、配管計装線図表示システムＡや部品リスト表示システムＢによらない場合、もしくは、これらの入力となる情報が無い場合に、利用者が部品属性を直接入力することで設備位置提示システム１により設備画像を表示しようとする場合などに用いられるもので、設備位置提示システム１に引渡す必要のある属性を入力できる画面と、属性を設備位置提示システムに引渡し可能な形で出力できるシステムである。
【００２３】
図３は、図１に示した設備位置提示システム１に対し、配置位置計算処理手段１９を追加して設けたものである。配置位置計算処理手段１９は設備配置位置情報７を検索設備形状６からの計算により導き出すものである。図１の設備位置提示システム１では、設備検索手段５により、３ＤＣＡＤデータベース４内の配置原点座標等から設備配置位置情報７を取得するが、図３の設備位置提示システム１では、配置位置計算処理手段１９による検索設備形状６からの計算により導き出す。すなわち、配置位置計算処理手段１９は設備確認区画視点検索手段８ならびに画像生成手段１６の事前処理手段として加えられ、配置位置情報７は配置位置計算処理手段１９の計算結果として与えられる。このように、配置位置情報７は、設備検索手段５の検索により該当する設備として検索される検索設備形状６の３ＤＣＡＤデータベース４内の配置原点座標等から取得するだけでなく、配置位置計算処理手段１９により検索設備形状６から計算により導き出すことも可能である。
【００２４】
次に、周辺設備検索手段１２は周辺設備形状１３を取得する際に、設備確認区画視点情報１１の空間指定区画情報を元に取得する他に、検索設備の設備配置位置情報７に対し、範囲距離を指定することにより取得することも可能である。また、設備属性指定部２や設備属性指定システム２０により与えられる設備属性３のうち、属性の一部に合致する形状を周辺設備形状１３として取得することも可能である。
【００２５】
図４は、本発明の実施の形態における設備確認視点情報データベース９の視点情報レコード１０の区画区分の説明図である。設備確認視点情報データベース９の視点情報レコード１０には、単なる区画だけでなく区画区分の概念を持たせている。すなわち、原子力発電プラントにおいては、建物内部をコンクリート製の壁や床、天井などにより区切られた空間や、重要な機能設備が収納されている空間を部屋区画により区分することが多い。建築工事の場面においては、工事区画と呼ばれる工事の進行に適した区分が使われている。このように、同一の建物でありながら、工事の場面には、工事区画という建屋内空間分割の概念が適しており、その他の場面では、部屋という建屋内空間分割の考え方が適するため、それぞれの場面により建屋内空間分割の概念が使い分けられている。
【００２６】
そこで、本発明の実施の形態では、このように複数の空間分割の概念が必要な場合に対応できるようにするために区画区分コードを追加する。これにより、区画区分の概念を達成する。図４（ａ）は工事区画による建屋内空間分割状況を示し、図４（ｂ）は部屋による建屋内空間分割状況を示している。図４（ａ）及び図４（ｂ）は共に同一建屋の一部分を示しているが、工事区画２４と部屋区画２５とでは、空間分割の概念が異なっていることが確認できる。このような区画区分の概念を有する本発明の実施の形態による設備位置提示システム１を用いることで、工事区画２４による設備確認と部屋区画２５による設備確認とを利用状況に合せて切り替え、位置確認することが可能となる。
【００２７】
図５は区画区分の階層の概念図である。この区画区分は、部屋区画が複数の工事区画に分割されており、部屋区画と工事区画とは階層的な分割になっている。すなわち、工事区画２４の集まりが部屋区画２５になり、部屋区画２５にはその上の階層にフロア区画２６が存在し、さらに建屋区画２７が存在しており階層構造をしている。従って、設備の配置位置が定まり、所属する最小単位の区画が定まった際に、さらに上位の区画を指定する機能を持たせることにより、階層構造をもつ区画の任意の階層で周囲設備を取得することが可能となる。
【００２８】
画像生成手段１６は、検索設備の検索設備形状６をその設備周辺形状１５とともに表示する。図６は検索設備の検索設備形状６をその設備周辺形状１５とともに表示した設備画像の俯瞰図である。画像生成手段１６において、設備確認区画視点検索手段８より出力された設備確認区画視点１１に含まれる視点位置情報からの検索設備の画像のみでなく、自動的に設備周辺形状１５全体を俯瞰可能な視点位置を算出し、全体を俯瞰する画像を自動生成する。そして、この設備周辺形状１５の画像を追加することにより、検索設備の区画内でのおおよその所在を容易に把握可能になる。
【００２９】
また、画像生成手段１６は、検索設備を特殊色もしくは特殊表面パターン表示により強調表示する。図７は検索設備の検索設備形状６をその設備周辺形状１５とともに表示し検索設備の検索設備形状６を矢印２８で強調表示した設備画像の俯瞰図である。画像生成手段１６において、設備周辺形状１５全体に対する設備確認区画視点検索手段８より出力された設備確認区画視点１１に含まれる視点位置情報からの画像を生成する際、設備属性指定部２により与えられる設備属性３に合致する検索設備形状６を強調表示しているものである。
【００３０】
図７では、強調表示として、画像に検索設備形状６に対する矢印２８を加え、検索設備を強調し、画像から所在を明確に把握できるようにしている。さらに、検索設備の属性である設備名称２９を画面上に表示し、当初指定した属性に合致するものであることを明確に表現している。属性である設備名称２９の表示の追加により、生成された画像を活用する際に、画像が生成された場所や時間から遠ざかったとしても強調されている設備が何かを容易に知ることができる。以上の説明では、強調表示として矢印表示としたが、検索設備の検索設備形状６を楕円等で囲うような表示としてもよいし、周囲と異なる特殊色で表示するようにしてもよい。
【００３１】
さらに、画像生成手段１６は、検索設備が周囲設備に遮られている場合には、検索設備の輪郭線並びに半透明の重ね合わせを周囲設備の画像の全面に表示する。図８は検索設備の検索設備形状６をその設備周辺形状１５とともに表示し周囲設備に遮られている検索設備の輪郭線並びに半透明の重ね合わせを周囲設備の画像の全面に表示した設備画像の俯瞰図である。
【００３２】
検索設備が周囲設備に遮られている場合には、検索設備形状６を強調表示する際に輪郭線と半透明の重ね合わせ表示を行う。これにより、周囲設備に遮られて検索設備形状６の設備が見えないときでも、存在する位置や形状をより正確に判別できるようにしている。
【００３３】
次に、設備確認視点情報データベース９に、３ＤＣＡＤ空間を指示する区画情報とこの区画内で設備を確認するためのアクセスルート情報とを組合せて保持しておき、設備確認区画視点検索手段８によりアクセスルート上で検索設備が周囲設備に遮られずに確認できる部分を計算処理して、検索設備が周囲設備に遮られずに確認できるようにすることも可能である。
【００３４】
図９は区画内で設備を確認するためのアクセスルート情報を格納したアクセスルートテーブルを有した設備確認視点情報データベース９の説明図である。図９に示すように、設備確認視点情報データベース９は、区画情報である空間指定情報を格納した区画テーブル３０と、視点座標及び視点名称を格納した視点情報テーブル３１と、アクセスルート情報であるルート座標群及びルート名称を格納したアクセスルートテーブル３２を保持している。
【００３５】
設備確認区画視点検索手段８は、検索設備形状６の存在する区画を特定し、区画の空間情報を使ってその空間に含まれる視点位置座標とアクセスルート情報との特定を行い、画像生成手段１６の前段階の処理において、アクセスルート上で検索設備形状６を周辺設備形状１３に遮られずに確認できる部分を算定する。そして、画像生成手段１６において、アクセスルート上からの画像を生成する。
【００３６】
図１０は設備確認区画視点検索手段８によるアクセスルート処理の処理内容を示すフローチャートである。まず、検索設備の配置区画を通過するアクセスルートを検索し（Ｓ１）、区画を通過するアクセスルートがあるか否かを判定する（Ｓ２）。これは、アクセスルートは複数の区画にまたがって設定される場合があるので、それを確認するためである。区画を通過するアクセスルートがない場合には処理を終了する。
【００３７】
一方、区画を通過するアクセスルートがある場合には、検索設備を周囲設備に遮られることなく確認できるアクセスルート上の視点範囲を計算する（Ｓ３）。そして、アクセスルート上の視点範囲の代表視点位置を計算し（Ｓ４）、代表視点位置から検索設備を注視する画像生成を作成する（Ｓ５）。
【００３８】
設備確認視点情報データベース９において、３ＤＣＡＤモデルの空間を指定する区画情報、確認視点位置情報、アクセスルート情報を別々に保持するのは、アクセスルートは複数の区画にまたがって設定される場合があるためである。また、空間内に含まれるか否かは幾何学的な計算処理により判定する。
【００３９】
このように、視点位置情報だけでなく、室内のアクセス通路やＩＴＶカメラのモノレールなどの確認用ルート情報をアクセスルートとして保持することで、アクセスルート上で設備を障害無く確認可能な位置がどこかを算出できる。また、視点座標値と共に、視点位置名称を保持することで、生成した画像に何をどこから見たものかの注釈を加えることが可能となり、生成画像と配置状況のより容易な理解が可能となる。
【００４０】
すなわち、画像生成手段１６は、設備確認区画視点検索手段８の計算処理結果に基づき検索設備の設備画像を生成する際に各区画全体を俯瞰した画像も生成し、その画像内に設備区画視点位置及びアクセスルートの場所及び検索設備を識別する情報を合せて表示する。
【図面の簡単な説明】
【００４１】
【図１】本発明の実施の形態に係わる設備位置提示システムのブロック構成図。
【図２】本発明の実施の形態に係わる設備位置提示システムを原子力発電プラントの設備検索に適用した場合のブロック構成図。
【図３】図１に示した設備位置提示システムに対し配置位置計算処理手段を追加した設備位置提示システムのブロック構成図。
【図４】本発明の実施の形態における設備確認視点情報データベースの視点情報レコードの区画区分の説明図。
【図５】本発明の実施の形態における原子力発電プラントにおける区画区分の階層構造の概念図。
【図６】本発明の実施の形態における検索設備の検索設備形状をその設備周辺形状とともに表示した設備画像の俯瞰図。
【図７】本発明の実施の形態における検索設備の検索設備形状をその設備周辺形状とともに表示し検索設備の検索設備形状を矢印で強調表示した設備画像の俯瞰図。
【図８】本発明の実施の形態における検索設備の検索設備形状をその設備周辺形状とともに表示し周囲設備に遮られている検索設備の輪郭線並びに半透明の重ね合わせを周囲設備の画像の全面に表示した設備画像の俯瞰図。
【図９】本発明の実施の形態における区画内で設備を確認するためのアクセスルート情報を格納したアクセスルートテーブルを有した設備確認視点情報データベースの説明図。
【図１０】本発明の実施の形態における設備確認区画視点検索手段によるアクセスルート処理の処理内容を示すフローチャート。
【符号の説明】
【００４２】
１…設備位置提示システム、２…設備属性指定部、３…設備属性、４…３ＤＣＡＤデータベース、５…設備検索手段、６…検索設備形状、７…設備配置位置情報、８…設備確認区画視点検索手段、９…視点情報データベース、１０…視点情報レコード、１１…設備確認視点情報、１２…周辺設備検索手段、１３…周辺設備形状、１４…形状合成手段、１５…設備周辺形状、１６…画像生成手段、１７…設備画像、１８…画像表示装置、１９…配置位置計算処理手段、２０…設備属性指定システム、２１…画像処理システム、２２…プリンタ、２３…画像データベース、２４…工事区画、２５…部屋区画、２６…フロア区画、２７…建屋区画、２８…矢印、２９…設備名称、３０…区画テーブル、３１…視点情報テーブル、３２…アクセスルートテーブル
【図１】
2006244335.tif 000003
【図２】
2006244335.tif 000004
【図３】
2006244335.tif 000005
【図４】
2006244335.tif 000006
【図５】
2006244335.tif 000007
【図６】
2006244335.tif 000008
【図７】
2006244335.tif 000009
【図８】
2006244335.tif 000010
【図９】
2006244335.tif 000011
【図１０】
2006244335.tif 000012